(57)【要約】【課題】複数のディスプレイに各々の静止画像を表示する際に、表示タイミングを同期して表示する静止画送受信同期再生装置を提供する。【解決手段】複数の静止画が入力される送信器１００と、予め設定されたフレームの静止画を抽出し記憶をする第１受信器２０１、第２受信器２０２、第３受信器２０３と、第１〜第３受信器からの映像をそれぞれ表示するディスプレイ４０１、４０２、４０３とを備える。第１〜第３受信器の映像入出力は、ディジーチェーンで接続される。第１〜第３受信器は予め設定された静止画を選択しメモリに記憶する。複数のディスプレイに同じ垂直同期のタイミングで第１〜第３受信器からの映像信号を切り替えることにより、ディスプレイには一斉に同期して画１、画２、画３がそれぞれ表示される。【選択図】図１
2017016041.tif 000002
【特許請求の範囲】
【請求項１】
互いに関連する一連の複数の静止画と、この静止画の再生タイミングを設定する再生タイミング信号とを所定の動画フォーマットの信号に変換する信号変換回路と、この信号変換回路から入力される信号を送信する信号送信部とからなる送信器と、
信号を受信する信号受信部と、この信号受信部に入力された信号から、予め設定された静止画を選択して抽出し記憶する信号選択記憶部と、前記信号受信部で受信された信号を送信する信号送信部とからなる受信器と、
前記受信器の信号選択記憶部で選択された静止画を表示するディスプレイと、を備え、
前記受信器は伝送路によってディジーチェーンにより複数個接続されるとともに、前記送信器の信号送信器からの信号が供給されるようになっており、前記各受信器は前記各静止画を前記再生タイミング信号に基づいて前記信号選択記憶部から読み出して、前記各ディスプレイに同じタイミングで再生するようにしてなる、静止画送受信同期再生装置。
【請求項２】
前記複数の受信器の信号選択記憶部に対して、どの静止画を選択するかを制御する制御信号を供給するコントローラを前記送信器に備えた請求項１に記載の静止画送受信同期再生装置。
【請求項３】
前記所定の動画フォーマットの信号は、ＨＤＭＩ信号の動画フォーマットである、請求項１または２に記載の静止画送受信同期再生装置。
【請求項４】
前記信号送信部はＨＤＭＩ信号をＨＤＢａｓｅＴ信号に変換して出力するようになっており、前記信号受信部は受信したＨＤＢａｓｅＴ信号をＨＤＭＩ信号に変換するようになっている、請求項３に記載の静止画送受信同期再生装置。
【発明の詳細な説明】
【技術分野】
【０００１】
本開示は、複数のディスプレイ装置を送出器と接続し、ディスプレイ装置に静止画像を表示する送受信ディスプレイ装置に関する。
【背景技術】
【０００２】
近年、商業施設の電子広告としてサイネージディスプレイが数多く施設されている。その広告システムとして、一つの送出器から映像信号を送出して、複数のディスプレイを組み合わせて１つの大画面を構成する広告システムが運用されている。一方、複数のディスプレイを異なる場所に配置して相互に連携した映像を流す広告システムがあり、これら複数のディスプレイを連携使用することで広告の価値を高めている。
【０００３】
特許文献１は、複数の映像表示装置を縦横に並べて１つのディスプレイとして構成する静止画マルチディスプレイ装置および映像信号発生装置を開示する。このディスプレイ装置および信号発生装置は、例えば横５７６０×縦３２４０の解像度の静止画像を、横１９２０×縦１０８０の解像度のディスプレイ装置を縦横３×３のマルチディスプレイにディジーチェーン接続で映像信号を送出する際に、映像信号と同期信号で構成される静止画信号を時分割で送受信する構成を備えることにより、１本の限られた信号帯域の送受信線で高精細な静止画を送受信し表示することができる。
【先行技術文献】
【特許文献】
【０００４】
【特許文献１】特開２０１２−７８３９３号公報
【発明の概要】
【発明が解決しようとする課題】
【０００５】
本開示は、複数のディスプレイに各々の静止画像を表示する際に、表示タイミングを同期して表示する静止画送受信同期再生装置を提供する。
【課題を解決するための手段】
【０００６】
本開示の静止画送受信同期再生装置は、互いに関連する一連の複数の静止画と、この静止画の再生タイミングを設定する再生タイミング信号とを所定の動画フォーマットの信号に変換する信号変換回路と、この信号変換回路から入力される信号を送信する信号送信部とからなる送信器と、信号を受信する信号受信部と、この信号受信部に入力された信号から、予め設定された静止画を選択して抽出し記憶する信号選択記憶部と、信号受信部で受信された信号を送信する信号送信部とからなる受信器と、受信器の信号選択記憶部で選択された静止画を表示するディスプレイを備え、受信器は伝送路によってディジーチェーンにより複数個接続されるとともに、送信器の信号送信器からの信号が供給されるようになっており、各受信器は各静止画を再生タイミング信号に基づいて信号選択記憶部から読み出して、各ディスプレイに同じタイミングで再生するようになっている。
【発明の効果】
【０００７】
本開示における静止画送受信同期再生装置は、複数のディスプレイに表示する静止画を一斉に同期して表示することに有効である。
【図面の簡単な説明】
【０００８】
【図１】実施の形態１における静止画送受信同期再生装置の構成を示すブロック図
【図２】実施の形態１における静止画の送受信器の間での受け渡しの流れを説明するためのタイミングチャート図
【図３】実施の形態１における受信器の選択設定を例示するための表を示す図
【図４】実施の形態１におけるディスプレイに表示された結果をまとめた表を示す図
【図５】実施の形態２における静止画送受信同期再生装置の構成を示すブロック図
【図６】実施の形態２における静止画の送受信器の間での受け渡しの流れを説明するためのタイミングチャート図
【図７】実施の形態２におけるコントローラの指令を例示するための表を示す図
【図８】実施の形態２におけるディスプレイに表示された結果をまとめた表を示す図
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、添付図面および以下の説明は、当業者が本開示を十分に理解するために、提供されるのであって、これらにより特許請求の範囲に記載の主題を限定することは意図されていない。
【００１１】
（実施の形態１）
以下、図１〜４を用いて、実施の形態１を説明する。
【００１２】
［１−１．構成］
以下、本開示の実施形態について図面を参照しながら説明する。
【００１３】
図１に本開示の実施形態である静止画送受信同期再生装置の概略構成図を示す。
【００１４】
図１において、送信器１００には、静止画ソース１０１、１０２、１０３から静止画が供給される。送信器１００の出力信号は伝送路３０１を介して第１受信器２０１、第２受信器２０２、第３受信器２０３に供給され、ディスプレイで表示される。
【００１５】
本実施の形態の静止画送受信同期再生装置は、複数（この実施の形態では３つ）の静止画ソースからの静止画映像信号が送信器１００に入力される。送信器１００は、複数の静止画ソースから静止画映像信号としてＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）規格の動画フォーマットに重畳合成する信号変換回路１１１と、信号変換回路１１１で作成した映像信号をＨＤＢａｓｅＴ（登録商標）信号に変換するＨＤＢａｓｅＴ送信部１１２とを備える。
【００１６】
ＨＤＢａｓｅＴ送信部１１２から出力されるＨＤＢａｓｅＴ信号は伝送路３０１によって、第１受信器２０１に供給される。第１受信器２０１は、ＨＤＢａｓｅＴ信号を受信してＨＤＭＩ信号に変換するＨＤＢａｓｅＴ受信部２１１と、ＨＤＭＩ信号から予め第１受信器２０１で設定された静止画を選択し抽出して記憶する信号選択記憶部２２１と、ＨＤＢａｓｅＴ受信部２１１で受信した信号を再びＨＤＢａｓｅＴ信号に変換するＨＤＢａｓｅＴ送信部２３１から構成される。ディスプレイ４０１は、信号選択記憶部２２１で選択された静止画を表示する。
【００１７】
第２受信器２０２も、ＨＤＢａｓｅＴ受信部２１２、信号選択記憶部２２２、ＨＤＢａｓｅＴ送信部２３２からなり、信号選択記憶部２２２で選択された静止画は、ディスプレイ４０２で表示される。第３受信器も、ＨＤＢａｓｅＴ受信部２１３、信号選択記憶部２２３、ＨＤＢａｓｅＴ送信部２３３からなり、信号選択記憶部２２３で選択された静止画は、ディスプレイ４０３で表示される。ＨＤＢａｓｅＴ受信部と信号選択記憶部とＨＤＢａｓｅＴ送信部とから成る第１受信器２０１、第２受信器２０２、第３受信器２０３は伝送路３０１を介してディジーチェーンで接続される。
【００１８】
［１−２．動作］
以上のように構成された静止画送受信同期再生装置について、図１の構成のように例えば静止画ソースを３つに、受信器は３台にした場合の動作を以下に説明する。
【００１９】
図２は、３つの静止画を動画フォーマットに重畳し合成する方法から、３つのディスプレイに静止画を表示させるまでのタイミングチャートを示す。
【００２０】
静止画ソース１０１、１０２、１０３から出力される静止画をそれぞれ画１、画２、画３とし、静止画は全て、解像度が１９２０×１０８０の静止画とし、受信器の記憶部は静止画を記憶する事が可能なフレームメモリを有し、ディスプレイは１９２０×１０８０の画像を表示する事が可能なディスプレイとした場合の例を、以下に説明する。
【００２１】
３つの静止画である画１、画２、及び画３は、ＨＤＭＩ規格の動画フォーマットに重畳合成する時に、図２に示す送信器出力の画１、画２、及び画３の位置にそれぞれ割り当てる。ここで送信器出力に示すＩＤは、時間的に繰り返される送信器出力信号の始まりを示す制御信号であり０フレーム目とする。静止画１は１フレーム目に、静止画２は２フレーム目に、静止画３は３フレーム目にそれぞれ割り当てる。ＰＬＡＹは受信器の記憶部で記憶した映像信号をディスプレイに出力するタイミングを制御するための制御信号であり、４フレーム目に割り当てる。ＰＬＡＹの後は、再びＩＤから始まる上記のフォーマットで繰り返される。送信器出力信号に対して、垂直同期信号は図２に示すタイミングで存在し、それぞれの制御タイミングは垂直同期のタイミングで処理される。
【００２２】
第１受信器２０１、第２受信器２０２、及び第３受信器２０３は、予めそれぞれ何フレーム目の静止画を選択するかを設定されており、例えば図３に示すように、第１受信器２０１は１Ｆｒａｍｅ目の静止画を選択する設定をし、第２受信器２０２には２Ｆｒａｍｅ目の静止画を選択する設定をし、第３受信器２０３には３Ｆｒａｍｅ目の静止画を選択する設定をされている。この場合における動作を、図２に示すタイミング図を用いて説明する。
【００２３】
第１受信器２０１の信号選択記憶部２２１は、図２の通り、送信器から出力される信号において画１の送信が終わった直後の垂直同期のタイミングで、第１受信器２０１の信号選択記憶部２２１のメモリに画１の静止画を記憶する。その後、送信器から複数の静止画が出力された後、ＰＬＡＹの制御信号を受信器が受信すると、ＰＬＡＹの後の垂直同期信号のタイミング（再生タイミング）で、信号選択記憶部２２１から画１の静止画が、ＨＤＭＩの動画信号としてディスプレイ４０１に出力される。ディスプレイ４０１は、再生タイミングに同期して画１の静止画を表示する。
【００２４】
同様に、第２受信器２０２の信号選択記憶部２２２は、図２の通り、送信器から出力される信号において画２の送信が終わった直後の垂直同期のタイミングで、第２受信器２０２の信号選択記憶部２２２のメモリに画２の静止画を記憶する。その後、送信器から複数の静止画が出力された後、ＰＬＡＹの制御信号を受信器が受信すると、ＰＬＡＹの後の垂直同期信号のタイミング（再生タイミング）で、信号選択記憶部２２２から画２の静止画が、ＨＤＭＩの動画信号としてディスプレイ４０２に出力される。ディスプレイ４０２は、再生タイミングに同期して画２の静止画を表示する。
【００２５】
同様に、第３受信器２０３の信号選択記憶部２２３は、図２の通り、送信器から出力される信号において画３の送信が終わった直後の垂直同期のタイミングで、第３受信器２０３の信号選択記憶部２２３のメモリに画３の静止画を記憶する。その後、送信器から複数の静止画が出力された後、ＰＬＡＹの制御信号を受信器が受信すると、ＰＬＡＹの後の垂直同期信号のタイミング（再生タイミング）で、信号選択記憶部２２３から画３の静止画が、ＨＤＭＩの動画信号としてディスプレイ４０３に出力される。ディスプレイ４０３は、再生タイミングに同期して画３の静止画を表示する。
【００２６】
以上のことから、ディスプレイ４０１、４０２、４０３に表示される静止画は、図４に示す通り、それぞれ画１、画２、画３が表示される。更に、ディスプレイ４０１、４０２、４０３は、映像入力から表示するまでの遅延時間を同じに設定することにより、ディスプレイに表示するタイミングが一斉に、同時に切り替えて表示される。
【００２７】
［１−３．効果等］
以上のように、本実施の形態において、複数の静止画を入力する送信器１００と、予め設定されたフレームの静止画を抽出し記憶をする第１受信器２０１、第２受信器２０２、第３受信器２０３と、受信器からの映像をそれぞれ表示するディスプレイ４０１、４０２、４０３とを備える。第１受信器２０１、第２受信器２０２、第３受信器２０３の映像入出力は、ディジーチェーンで接続される。第１受信器２０１、第２受信器２０２、第３受信器２０３は予め設定された静止画を選択しメモリに記憶する。複数のディスプレイに同じ垂直同期のタイミングで第１受信器２０１、第２受信器２０２、第３受信器２０３からの映像信号を切り替えることにより、ディスプレイ４０１、４０２、４０３には一斉に同期して画１、画２、画３がそれぞれ表示される。
【００２８】
（実施の形態２）
以下、図５〜８を用いて、実施の形態２を説明する。なお、実施の形態１と同一構成要素には同一符号を付している。
【００２９】
［２−１．構成］
本実施の形態の静止画送受信同期再生装置は、複数の静止画ソースからの静止画映像信号が送信器１００に入力される。送信器１００は、複数の静止画ソースからの静止画映像信号をＨＤＭＩ規格の動画フォーマットに重畳合成する信号変換回路１１１と、受信器の制御を行う制御信号Ｃを供給するコントローラ１１３と、信号変換回路で作成した映像信号と制御信号Ｃとを圧縮合成するＨＤＢａｓｅＴ送信部１１２とを備える。ＨＤＢａｓｅＴ送信部１１２から出力されるＨＤＢａｓｅＴ信号は、伝送路３０１によって第１受信器２０１のＨＤＢａｓｅＴ受信部２１１に伝送される。
【００３０】
第１受信器２０１は、ＨＤＢａｓｅＴ受信部２１１の他に信号選択記憶部２２１とＨＤＢａｓｅＴ送信部２３１を備える。ＨＤＢａｓｅＴ受信部２１１は、ＨＤＢａｓｅＴ信号を受信してＨＤＭＩ信号と制御信号に変換する。信号選択記憶部２２１は、ＨＤＢａｓｅＴ受信部２１１から入力されるＨＤＭＩ信号から予めコントローラ１１３で設定された設定情報により、どの静止画を選択するかを制御し抽出して記憶を行う。信号選択記憶部２２１で選択された静止画は、ディスプレイ４０１で表示される。ＨＤＢａｓｅＴ送信部２３１は、ＨＤＢａｓｅＴ受信部で受信した信号を再びＨＤＢａｓｅＴ信号に変換する。
【００３１】
第２受信器２０２も、ＨＤＢａｓｅＴ受信部２１２、信号選択記憶部２２２、ＨＤＢａｓｅＴ送信部２３２からなり、信号選択記憶部２２２で選択された静止画は、ディスプレイ４０２で表示される。第３受信器も、ＨＤＢａｓｅＴ受信部２１３、信号選択記憶部２２３、ＨＤＢａｓｅＴ送信部２３３からなり、信号選択記憶部２２３で選択された静止画は、ディスプレイ４０３で表示される。ＨＤＢａｓｅＴ受信部と信号選択記憶部とＨＤＢａｓｅＴ送信部とから成る第１受信器２０１、第２受信器２０２、第３受信器２０３は伝送路３０１を介してディジーチェーンで接続される。
【００３２】
［２−２．動作］
以上のように構成された静止画送受信同期再生装置について、図５に示すように例えば静止画ソースを３つに、受信器は３台にした場合の動作を以下に説明する。
【００３３】
図６は、３つの静止画を動画フォーマットに重畳し合成する方法から、３つのディスプレイに静止画を表示させるまでのタイミングチャートを示す。
【００３４】
静止画ソース１０１、１０２、１０３から出力される静止画をそれぞれ画１、画２、画３とし、静止画は全て、解像度が１９２０×１０８０の静止画とし、受信器の記憶部は静止画を記憶する事が可能なフレームメモリを有し、ディスプレイは１９２０×１０８０の画像を表示する事が可能なディスプレイとした場合の例を、以下に説明する。
【００３５】
３つの静止画である画１、画２、及び画３は、ＨＤＭＩ規格の動画フォーマットに重畳合成する時に、図６に示す送信器出力の画１、画２、及び画３の位置にそれぞれ割り当てる。ここで送信器出力に示すＩＤは、時間的に繰り返される送信器出力信号の始まりを示す制御信号であり０フレーム目とする。静止画１は１フレーム目に、静止画２は２フレーム目に、静止画３は３フレーム目にそれぞれ割り当てる。ＰＬＡＹは受信器の記憶部で記憶した映像信号をディスプレイに出力するタイミングを制御するための制御信号であり、４フレーム目に割り当てる。ＰＬＡＹの後は、再びＩＤから始まる上記のフォーマットで繰り返される。送信器出力信号に対して、垂直同期信号は図６に示すタイミングで存在し、それぞれの制御タイミングは垂直同期のタイミングで処理される。
【００３６】
第１受信器２０１、第２受信器２０２、及び第３受信器２０３は、予めそれぞれ何フレーム目の静止画を選択するかをコントローラ１１３に設定されており、例えば図７に示すように、第１受信器２０１は２Ｆｒａｍｅ目の静止画を選択する設定をし、第２受信器２０２には３Ｆｒａｍｅ目の静止画を選択する設定をし、第３受信器２０３には２Ｆｒａｍｅ目の静止画を選択するように設定情報が設定されている。図７のコントローラ１１３に設定された制御情報は、図５において制御信号としてＨＤＢａｓｅＴ送信部１１２に重畳され、伝送路３０１を通してディジーチェーンで接続された第１受信器２０１、第２受信器２０２、第３受信器２０３へ送られる。ＨＤＢａｓｅＴ受信部２１１、２１２、２１３でそれぞれ制御信号に復号し、どのフレームの静止画を選択するかの制御情報が信号選択記憶部２２１、２２２、２２３に伝える。図７に示したコントローラの制御情報の場合における動作を、図６に示すタイミング図を用いて説明する。
【００３７】
第１受信器２０１の信号選択記憶部２２１は、図６の通り、送信器から出力される信号において画２の送信が終わった直後の垂直同期のタイミングで、第１受信器２０１の信号選択記憶部２２１のメモリに画２の静止画が記憶される。その後、送信器から複数の静止画が出力された後、ＰＬＡＹの制御信号を受信器が受信すると、ＰＬＡＹの後の垂直同期信号のタイミング（再生タイミング）で、信号選択記憶部２２１から画２の静止画が、ＨＤＭＩの動画信号としてディスプレイ４０１に出力される。ディスプレイ４０１は、再生タイミングに同期して画２の静止画を表示する。
【００３８】
同様に、第２受信器２０２の信号選択記憶部２２２は、図６の通り、送信器から出力される信号において画３の送信が終わった直後の垂直同期のタイミングで、第２受信器２０２の信号選択記憶部２２２のメモリに画３の静止画が記憶される。その後、送信器から複数の静止画が出力された後、ＰＬＡＹの制御信号を受信器が受信すると、ＰＬＡＹの後の垂直同期信号のタイミング（再生タイミング）で、信号選択記憶部２２２から画３の静止画が、ＨＤＭＩの動画信号としてディスプレイ４０２に出力される。ディスプレイ４０２は、再生タイミングに同期して画３の静止画を表示する。
【００３９】
同様に、第３受信器２０３の信号選択記憶部２２３は、図６の通り、送信器から出力される信号において画２の送信が終わった直後の垂直同期のタイミングで、第３受信器２０３の信号選択記憶部２２３のメモリに画２の静止画が記憶される。その後、送信器から複数の静止画が出力された後、ＰＬＡＹの制御信号を受信器が受信すると、ＰＬＡＹの後の垂直同期信号のタイミング（再生タイミング）で、信号選択記憶部２２３から画２の静止画が、ＨＤＭＩの動画信号としてディスプレイ４０３に出力される。ディスプレイ４０３は、再生タイミングに同期して画２の静止画を表示する。
【００４０】
ディスプレイ４０１、４０２、４０３は、映像入力から表示するまでの遅延時間を同じに設定することにより、ディスプレイがそれぞれ静止画２、静止画３、静止画２の映像に一斉に、同時に切り替えて表示されることになる。
【００４１】
［２−３．効果等］
以上のように、本実施の形態において、複数の静止画を入力する送信器１００と、予めコントローラ１１３で設定された設定情報を基にフレームの静止画を抽出し記憶をする第１受信器２０１、第２受信器２０２、第３受信器２０３と、受信器からの映像をそれぞれ表示するディスプレイ４０１、４０２、４０３とを備える。第１受信器２０１、第２受信器２０２、第３受信器２０３の映像入出力は、ディジーチェーンで接続される。第１受信器２０１、第２受信器２０２、第３受信器２０３は予めコントローラ１１３で設定された制御情報に指定された静止画を選択しメモリに記憶される。複数のディスプレイに同じ垂直同期のタイミングで第１受信器２０１、第２受信器２０２、第３受信器２０３からの映像信号を切り替えることにより、ディスプレイ４０１、４０２、４０３には一斉に同期して画２、画３、画２がそれぞれ表示される。
【００４２】
（他の実施の形態）
以上のように、本出願において開示する技術の例示として、実施の形態１〜２を説明した。しかしながら、本開示における技術は、これに限定されず、変更、置き換え、付加、省略などを行った実施の形態にも適用できる。また、上記実施の形態１〜２で説明した各構成要素を組み合わせて、新たな実施の形態とすることも可能である。
【００４３】
そこで、以下、他の実施の形態を例示する。
【００４４】
実施の形態１〜２では、送信器から複数の受信器にディジーチェーンで接続して信号を伝送する方式の一例としてＨＤＢａｓｅＴを説明した。映像信号の伝送において圧縮と復号に必要な時間的遅延の少ない変復調方式であること、更にディジーチェーンで接続する伝送路は、送受信間伝達の時間的遅延の少ない伝送方式であればよい。具体的には、圧縮と復号に必要な遅延、及びディジーチェーン接続によるディスプレイ間の伝送の遅延のよって発生する映像の切り替わりの時間差が、人の目に違和感を覚えない程度の時間差であれば問題は生じない。従って、変復調及び伝送の方式は、ＨＤＢａｓｅＴに限定されない。ただし、伝送路としてＨＤＢａｓｅＴを用いれば、送信器と受信器との間の伝送路の距離を約１００メートルまで遠くに離す事が可能であり、複数のディスプレイを自由な場所に配置しやすくなる効果がある。また、他の方式として送信器と受信器との間の伝送をＨＤＭＩで伝送してもよい。伝送する手段としてＨＤＭＩを用いれば、映像信号を変換する必要が無くなり、送信器と受信器を低コストで製作できる。ただし、送信器にコントローラを配置する場合は、伝送路にＨＤＭＩの他に別途制御信号を送信する伝送手段を設ける必要がある。
【００４５】
また、実施の形態１〜２では、静止画ソースを３つ、受信器とディスプレイを３台として一例に説明した。これは説明を判りやすくするためであって、静止画ソース、受信器、ディスプレイは複数であれば、自由に数を決めればよい。ただし、信号変換回路１１１において、静止画を動画フォーマットに割り当てるフレームの数量を、静止画ソースの数量より多い数量で運用する必要がある。
【００４６】
また、実施の形態１〜２では、静止画の解像度及びディスプレイの解像度を共に、１９２０×１０８０を一例に説明した。これは、一般に良く使われる動画フォーマットの解像度を一例にしただけであって、例えば１２８０×７２０、３８４０×２１６０などの他の動画フォーマットの解像度であってもよい。より低い解像度で運用をした場合、静止画を保存するメモリの容量を少なくする事ができ、伝送路を通過する単位時間当たりの伝送容量を少なくすることが出来る。一方、より高い解像度で運用した場合、高精細な画質を提供する事が出来る効果を持つ。
【００４７】
また、実施の形態１〜２では、受信器とディスプレイをそれぞれ個別の機器として一例を説明した。これは一般的なディスプレイ機器に加えて、受信器の機能が追加になった部分を個別の機器としたが、受信器の機能がディスプレイに内蔵されていてもよい。
受信器がディスプレイに内蔵されることにより、個別に機器を製造するよりも低コストで提供が可能になり、機器の設置の場合にも受信器の配置を考慮する必要が無くなり設置が簡単に行う事が出来る効果を持つ。
【００４８】
なお、上述の実施の形態は、本開示における技術を例示するためのものであるから、特許請求の範囲またはその均等の範囲において種々の変更、置き換え、付加、省略などを行うことができる。
【産業上の利用可能性】
【００４９】
本開示は、複数のディスプレイに個別の静止画を表示する際にタイミングを一斉に同期させて表示させるシステムに適用可能である。具体的には、複数のサイネージモニタを一括で管理運用する商用のサイネージ市場向けの送信器、受信器、ディスプレイなどに、本開示は適用可能である。
【符号の説明】
【００５０】
１００  送信器
１０１、１０２、１０３  静止画ソース
１１１  信号変換回路
１１２  ＨＤＢａｓｅＴ送信部
１１３  コントローラ
２０１  第１受信器
２０２  第２受信器
２０３  第３受信器
２１１、２１２、２１３  ＨＤＢａｓｅＴ受信部
２２１、２２２、２２３  信号選択記憶部
２３１、２３２、２３３  ＨＤＢａｓｅＴ送信部
３０１  伝送路
４０１、４０２、４０３  ディスプレイ
【図１】
2017016041.tif 000003
【図２】
2017016041.tif 000004
【図３】
2017016041.tif 000005
【図４】
2017016041.tif 000006
【図５】
2017016041.tif 000007
【図６】
2017016041.tif 000008
【図７】
2017016041.tif 000009
【図８】
2017016041.tif 000010